(57)【要約】【課題】排水性を維持し、トウアンドヒール偏摩耗を抑制する。【解決手段】トレッド表面にタイヤ幅方向に延びる横溝１が刻まれた空気入りタイヤにおいて、横溝１の２つの側壁４、５のうち、変形が大きい側壁４に突起６を備え、横溝１の深さをＤとして、突起６はトレッドＴの表面から（３／４）Ｄまでの範囲にあり、突起６の側壁４から高さＨが横溝１の幅Ｗの１／２以上であって、突起６と対向する側壁５との間隙が０．５ｍｍ以上である空気入りタイヤとする。【選択図】図１
2004351991.tif 000002
【特許請求の範囲】
【請求項１】
トレッド表面にタイヤ幅方向に延びる横溝が刻まれた空気入りタイヤにおいて、
前記横溝の２つの側壁のうち、変形が大きい側壁に突起を備え、前記横溝の深さをＤとして、突起はトレッドの表面から（３／４）Ｄまでの範囲にあり、前記突起の側壁から高さが前記横溝の幅の１／２以上であって、前記突起と対向する側壁との間隙が０．５ｍｍ以上である空気入りタイヤ。
【請求項２】
前記変形が大きい側壁は、タイヤ周方向の踏み込み側の側壁である請求項１に記載の空気入りタイヤ。
【請求項３】
前記変形が大きい側壁は、前記横溝を挟む陸部のうち剛性の低い陸部の側壁である請求項１に記載の空気入りタイヤ。
【請求項４】
前記横溝がタイヤ幅方向に対して斜めに延びているとき、前記変形が大きい側壁は、前記横溝と前記陸部を区画する主溝とがなす角が鋭角である陸部の側壁である空気入りタイヤ。
【発明の詳細な説明】
【０００１】
【発明の属する技術分野】
本発明は、横溝が刻まれた空気入りタイヤにおけるトウアンドヒール偏摩耗の抑制に関する。
【０００２】
【従来の技術】
トレッド表面に横溝が刻まれたタイヤにおいては、制動、駆動又は転動によって横溝の側壁が変形する。変形が不均一であるため、当該横溝を挟む陸部のタイヤ周方向の変形も不均一となる。そのため、陸部のタイヤ周方向両側では、摩耗量が異なり、トウアンドヒール偏摩耗が問題となっていた。かかる偏摩耗を抑制するために、横溝の側壁の変形を抑える工夫がなされてきた。例えば、横溝の溝底の一部又は全部を嵩上げしたり（ブリッジの配置）、横溝の一部を閉塞したり、横溝を細くしたりする対策が採られてきた。また、横溝の両側壁に突起を設けて、陸部の変形に伴って突起同士が当接することにより側壁の変形を抑えた空気入りタイヤがある。例えば、特許文献１に記載された空気入りタイヤが知られている。
【０００３】
【特許文献１】
特開平６−１９１２３１号公報（第１〜３頁、第１〜３図）。
【０００４】
【発明が解決しようとする課題】
かかる従来の空気入りタイヤにおいては、偏摩耗を抑制することができても、横溝の容積が低下するため排水性が低下し、ウェット性能が劣化することがあった。横溝が消滅していまい、性能が劣化している印象を与えることもあった。また、駆動や制動における側壁の変形は、周方向のみならず幅方向の変形を伴うこともあるので、突起同士がうまく当接せず側壁の変形を抑えることもできないこともあった。
【０００５】
したがって、本発明の目的は、トレッド表面に横溝が刻まれたタイヤにおいて、排水性を維持し、トウアンドヒール偏摩耗を抑制することにある。
【０００６】
【課題を解決するための手段】
上記課題を解決するため、鋭意検討した結果、請求項１に記載の発明は、トレッド表面にタイヤ幅方向に延びる横溝が刻まれた空気入りタイヤにおいて、
前記横溝の２つの側壁のうち、変形が大きい側壁に突起を備え、前記横溝の深さをＤとして、突起はトレッドの表面から（３／４）Ｄまでの範囲にあり、前記突起の側壁から高さが前記横溝の幅の１／２以上であって、前記突起と対向する側壁との間隙が０．５ｍｍ以上である空気入りタイヤとした。
【０００７】
横溝の側壁の一方にのみ突起が設けられているので、側壁が変形しても対向する側壁に当接し、側壁の変形を抑制することができる。その結果、陸部の変形が抑制されるので、トウアンドヒール偏摩耗が抑制される。また、突起はトレッドの表面から（３／４）Ｄまでの範囲にあるので、摩耗末期には既に突起は消滅又は減少しているので、排水性を損なうことはない。
【０００８】
請求項２に記載の発明は、前記変形が大きい側壁は、踏み込み側の側壁である請求項１に記載の空気入りタイヤとした。
【０００９】
駆動時及び自由転動時においては、陸部の蹴り出し側の変形が大きい。逆に、制動時においては、陸部の踏み込み側が変形が大きい。一般に、制動時の変形の方が大きいので、踏み込み側の横溝（陸部）の側壁に突起を設けることで、効果的に側壁の変形を抑えることができ、偏摩耗を抑制できる。
【００１０】
請求項３に記載の発明は、前記変形が大きい側壁は、前記横溝を挟む陸部のうち剛性の低い陸部の側壁である請求項１に記載の空気入りタイヤ。
【００１１】
陸部の剛性が小さいと駆動時や制動時に変形が大きくなるので、横溝を挟む陸部のうち剛性の低い陸部の側壁（横溝の側壁）に突起を設けることで、偏摩耗を抑制することができる。
【００１２】
請求項４に記載の発明は、前記横溝がタイヤ幅方向に対して斜めに延びているとき、前記変形が大きい側壁は、前記横溝と前記陸部を区画する主溝とがなす角が鋭角である陸部の側壁である空気入りタイヤとした。
【００１３】
横溝はタイヤ幅方向ではなく斜めに延びているときは、該横溝と陸部を区画する主溝とがなす角が鋭角である陸部と鈍角である陸部ができる。鋭角である陸部方が変形が大きいので、当該陸部の側壁（横溝の側壁）に突起を設ければ、変形を抑制し、偏摩耗を防止できる。
【発明の実施の形態】
以下、図面を用いて、本発明に係る空気入りタイヤの実施形態を説明する。図１（ａ）は、本発明に係る空気入りタイヤのショルダー部のトレッドの一部を示す斜視図である。トレッドＴの表面にはタイヤ幅方向Ｂに対して斜めに延びる横溝１が刻まれ、横溝１を挟んで陸部２及び３がタイヤ周方向Ｒ方向に配置されている。横溝１と主溝８によって、陸部２では鋭角αで、陸部３では鈍角βでそれぞれ区画されているので、陸部２の方が変形が大きいので、陸部２の側壁でもある、横溝１の一方の側壁４には楕円柱形状を有する突起６が設けられている。
【００１４】
タイヤの転動、発進や制動に伴って、側壁４、５が変形し、陸部２、３が変形する。しかし、変形が進んでも突起６が対向する側壁５に当接するため、それ以上陸部２や側壁４が変形せず、変形が抑制される。その結果、陸部２の偏摩耗が抑制される。なお、陸部は図示したブロック形状の他、閉塞する横溝で区画されるラグ形状であってもよい。
【００１５】
図１（ｂ）のＡ−Ａ’断面図に示すように、突起６の側壁４から高さｈは、横溝１の幅Ｗの１／２以上であることが好ましい。幅Ｗの１／２未満であると、突起が当接するまで変形量が大きいので、偏摩耗を抑制する効果が低い。突起６と対向する側壁５との間隙ｇは０．５ｍｍ以上が好ましい。０．５ｍｍ未満であると、排水性を損なうおそれがある。また、横溝１の深さをＤとして、突起６はトレッドＴの表面から（３／４）Ｄまでの範囲にあることが好ましい。これより深い位置に突起を設けても、側壁の変形抑制効果が低く、摩耗が進行しても突起６が残り排水性を悪化させてしまう。
【００１６】
突起６の形状は、楕円柱のほか、円錐台、楕円錐台、多角錐台、円錐、楕円錐、多角錐、半球、円柱、多角柱などの形状であってもよい。突起６の断面の大きさは、２ｍｍ〜１０ｍｍが好ましい。２ｍｍ未満であると、当接しても突起自体が変形し、側壁の変形を抑制できないこともある。１０ｍｍを越えると排水性を劣化させることがある。また、同じ横溝の側壁に突起を複数設けてもよい。特に、偏摩耗が発生しやすいタイヤショルダー部の横溝の側壁に突起を設けることが好ましい。
【００１７】
陸部が制動時に受ける外力は、駆動時や転動時に受ける外力より大きく、方向が逆である。制動時には、陸部の踏み込み側の変形が大きいので、踏み込み側の横溝（陸部）の側壁に突起を設けることで、効果的に横溝（陸部）の変形を抑えることができ、偏摩耗を抑制できる。また、横溝を挟む２つの陸部の剛性が異なるときは、剛性が小さい陸部の変形が大きいので、該陸部の側壁（横溝の側壁）に突起を設けるとよい。
【００１８】
横溝がタイヤ幅方向Ｂに対して斜めに延び、陸部がショルダー部より内側である場合、陸部は２本の主溝によって区画されるので、鋭角な部分は横溝を挟む両方の陸部にできる。この場合、タイヤの回転方向（踏み込み側か否か）や陸部の剛性（剛性の低い側）などの他の要因を考慮して、いずれの側壁に突起を設けるかを決めることができる。
【００１９】
【実施例】
本発明に係る空気入りタイヤの実施例として、図２（ａ）に示すようにショルダー部の横溝の側壁４に、接地端Ｅを中心として横溝長さ方向に５ｍｍ、深さ方向に４ｍｍで高さが４ｍｍである楕円柱を設けた空気入りタイヤを、比較例として、図２（ｂ）に示すようにショルダー部の横溝１に、接地端Ｅを中心として長さ５ｍｍ、高さ３ｍｍのブリッジ７を溝底に備えたタイヤを、従来例として突起もブリッジも備えていないタイヤをそれぞれ試作した。なお、いずれのタイヤサイズも２１５／４５Ｒ１７であり、横溝の幅Ｗは５ｍｍ、深さＤは６ｍｍとした。
【００２０】
評価結果は、表１に示す通りである。偏摩耗量は１２０００ｋｍ走行後のトウアンドヒール偏摩耗量である。ハイドロ性能は、１２０００ｋｍ走行後、水深８ｍｍの湿潤路を、速度を上げて走行しタイヤが空転し始める速度であり、従来例を１００とした指数である。表１によれば、実施例では従来例に比べ偏摩耗量を小さくでき、比較例に比べて排水性が向上しているので、両者を両立できたといえる。
【００２１】
【表１】
2004351991.tif 000003
【００２２】
【発明の効果】
以上の通り、本発明の空気入りタイヤにおいて、横溝の側壁の所定の位置に突起を設けた。その結果、側壁が変形しても該突起が対向する側壁に当接するので、横溝の側壁の変形が抑制され、偏摩耗を抑制することができる。
【図面の簡単な説明】
【図１】（ａ）は本発明に係る空気入りタイヤのトレッドの一部を示す斜視図、（ｂ）は（ａ）におけるＡ−Ａ’断面を示す図である。
【図２】（ａ）は実施例の突起を示す図、（ｂ）は比較例のブリッジを示す図である。
【符号の説明】
１              横溝
２、３          陸部
４、５          横溝の側壁
６              突起
【図１】
2004351991.tif 000004
【図２】
2004351991.tif 000005